(57)【要約】【課題】バッテリーを電源とするものであっても、バランスよく携帯でき、作業性に優れる箱式集じん機を提供する。【解決手段】箱式集じん機１は、ブラシレスモータ３６及び送風ファン４４を備えた吸気ユニット２５と、電源となるバッテリーパック３３を装着可能なバッテリー装着部２４と、送風ファン４４の回転によって外気を吸い込む吸込口と、吸込口から吸い込まれた外気から塵埃を分離するフィルタ２６と、を含んでなり、タンク２の底面が定置面となるものであって、バッテリー装着部２４にバッテリーパック３３を装着した状態での全体の重心Ｇの真上に当たる位置に、持ち運び用のハンドル５９が設けられ、平面視で重心Ｇを中心とした点対称となる前後位置に、肩掛けベルトの両端を連結するための連結部７０，７０が設けられている。【選択図】図４
2019213843.tif 000002
【特許請求の範囲】
【請求項１】
モータ及び送風ファンを備えた吸気ユニットと、
電源となるバッテリーを装着可能なバッテリー装着部と、
前記送風ファンの回転によって外気を吸い込む吸込口と、
前記吸込口から吸い込まれた外気から塵埃を分離する分離部と、を含んでなり、底面が定置面となる箱式集じん機であって、
前記バッテリー装着部に前記バッテリーを装着した状態での全体の重心の真上に当たる位置、及び／又は平面視で前記重心を中心とした点対称となる位置に、持ち運び用のハンドルが設けられていることを特徴とする箱式集じん機。
【請求項２】
平面視で前記重心を中心とした点対称となる位置に、肩掛けベルトの両端を連結するための連結部がさらに設けられていることを特徴とする請求項１に記載の箱式集じん機。
【請求項３】
底面に前記定置面を有し、前記分離部で分離された塵埃を貯留するタンクと、そのタンク上に載置され、前記吸気ユニットと前記バッテリー装着部とを含む本体とを備え、
前記タンクに、外側へ突出して前記吸込口に接続される集塵ホースを支持可能な取手が設けられていることを特徴とする請求項１又は２に記載の箱式集じん機。
【請求項４】
前記本体は、前記モータの駆動を制御するコントローラを備え、前記モータの回転軸に設けたモータ冷却用ファンの冷却風により、前記コントローラが冷却可能であることを特徴とする請求項３に記載の箱式集じん機。
【請求項５】
前記ハンドルは、直線状の握り部と、握り部の両端に一体形成される一対の脚部とからなり、前記脚部の下端が前記本体に対して回転可能に連結され、前記脚部が起立する位置で前記握り部が前記重心の真上に位置することを特徴とする請求項３又は４に記載の箱式集じん機。
【請求項６】
前記タンクは、上面を開口した深底の半ボックス体で、前記本体は、前記タンクの開口の上端に載置されるボトムカバーと、前記ボトムカバーに上方から組み付けられるトップカバーとを有してなり、前記トップカバーには、前記ハンドルを倒伏位置で収容可能なハンドル収容部が形成されていることを特徴とする請求項５に記載の箱式集じん機。
【請求項７】
前記トップカバーには、前記ハンドルの起立位置への引き出しを容易とするための指入れ部が形成されていることを特徴とする請求項６に記載の箱式集じん機。
【請求項８】
前記バッテリー装着部は、前記ボトムカバー上に設けられて、前記トップカバーには、前記バッテリー装着部を開放させる収容凹部が形成されていることを特徴とする請求項６又は７に記載の箱式集じん機。
【請求項９】
前記トップカバーには、前記収容凹部を開閉可能なカバーが設けられていることを特徴とする請求項８に記載の箱式集じん機。
【請求項１０】
前記カバーは、前記ハンドルが倒伏位置にある場合にのみ開動作可能であることを特徴とする請求項９に記載の箱式集じん機。
【請求項１１】
前記連結部は、前記ハンドルを挟んで一対設けられることを特徴とする請求項２に記載の箱式集じん機。
【請求項１２】
前記連結部は、有底孔と、前記有底孔内に架設されるピンとからなることを特徴とする請求項１１に記載の箱式集じん機。
【請求項１３】
前記ピンは、前記重心を通る上下方向の線と直交する線上に配置されていることを特徴とする請求項１２に記載の箱式集じん機。
【請求項１４】
前記タンクと前記本体との間に、前記分離部を支持する中間プレートが設けられ、前記中間プレートに、前記集塵ホースを収容するためのポケットが設けられて、前記ポケットは前記取手に嵌合して支持されることを特徴とする請求項３乃至１０の何れかに記載の箱式集じん機。
【請求項１５】
前記コントローラは、前記本体内で縦向きに支持されていることを特徴とする請求項４乃至１０の何れかに記載の箱式集じん機。
【請求項１６】
前記分離部は、筒状のフィルタであることを特徴とする請求項１乃至１５の何れかに記載の箱式集じん機。
【請求項１７】
前記バッテリーは、前記バッテリー装着部に側方からスライド装着されることを特徴とする請求項１乃至１６の何れかに記載の箱式集じん機。
【発明の詳細な説明】
【技術分野】
【０００１】
本発明は、電源となるバッテリーを搭載した箱式集じん機に関する。
【背景技術】
【０００２】
箱式集じん機は、モータ及び送風ファンを備えた吸気ユニットと、送風ファンの回転によって外気を吸い込む吸込口と、吸込口から吸い込まれた外気から塵埃を分離する分離部とを含んでなり、これらの構成要素は箱型のハウジング内に収容される。特許文献１には、分離部としてサイクロン分離器を、電源としてバッテリーを備え、吸込口から吸い込まれた空気がサイクロン分離器に至る経路を通過する際に塵埃を分離してハウジング内に貯留するようにした箱式集じん機が開示されている。
このような箱式集じん機は、吸込口に接続したホース及びノズルを介して塵埃を集塵したり、ホースに電動工具を接続して電動工具の使用により発生する粉塵等を集塵したりするために専ら定置使用される。但し、特許文献１の箱式集じん機では、ハウジングにベルトクリップが設けられて、作業者のベルトに吊り下げた状態で使用可能となっている。
【先行技術文献】
【特許文献】
【０００３】
【特許文献１】欧州特許出願公開第７２８４３５号明細書
【発明の概要】
【発明が解決しようとする課題】
【０００４】
特許文献１の箱式集じん機では、バッテリーは円柱状のハウジングの外面から外側へ突出して設けられ、ベルトクリップも、バッテリーと異なる位相でハウジングの外面に設けられている。よって、ベルトクリップを利用して携帯した状態でのバランスがとりにくく、搬送時や作業時に傾く等して作業性が悪くなっていた。
【０００５】
そこで、本発明は、バッテリーを電源とするものであっても、バランスよく携帯でき、作業性に優れる箱式集じん機を提供することを目的としたものである。
【課題を解決するための手段】
【０００６】
上記目的を達成するために、請求項１に記載の発明は、モータ及び送風ファンを備えた吸気ユニットと、電源となるバッテリーを装着可能なバッテリー装着部と、前記送風ファンの回転によって外気を吸い込む吸込口と、前記吸込口から吸い込まれた外気から塵埃を分離する分離部と、を含んでなり、底面が定置面となる箱式集じん機であって、
前記バッテリー装着部に前記バッテリーを装着した状態での全体の重心の真上に当たる位置、及び／又は平面視で前記重心を中心とした点対称となる位置に、持ち運び用のハンドルが設けられていることを特徴とする。
請求項２に記載の発明は、請求項１の構成において、平面視で前記重心を中心とした点対称となる位置に、肩掛けベルトの両端を連結するための連結部がさらに設けられていることを特徴とする。
請求項３に記載の発明は、請求項１又は２の構成において、底面に前記定置面を有し、前記分離部で分離された塵埃を貯留するタンクと、そのタンク上に載置され、前記吸気ユニットと前記バッテリー装着部とを含む本体とを備え、前記タンクに、外側へ突出して前記吸込口に接続される集塵ホースを支持可能な取手が設けられていることを特徴とする。
請求項４に記載の発明は、請求項３の構成において、前記本体は、前記モータの駆動を制御するコントローラを備え、前記モータの回転軸に設けたモータ冷却用ファンの冷却風により、前記コントローラが冷却可能であることを特徴とする。
請求項５に記載の発明は、請求項３又は４の構成において、前記ハンドルは、直線状の握り部と、握り部の両端に一体形成される一対の脚部とからなり、前記脚部の下端が前記本体に対して回転可能に連結され、前記脚部が起立する位置で前記握り部が前記重心の真上に位置することを特徴とする。
請求項６に記載の発明は、請求項５の構成において、前記タンクは、上面を開口した深底の半ボックス体で、前記本体は、前記タンクの開口の上端に載置されるボトムカバーと、前記ボトムカバーに上方から組み付けられるトップカバーとを有してなり、前記トップカバーには、前記ハンドルを倒伏位置で収容可能なハンドル収容部が形成されていることを特徴とする。
請求項７に記載の発明は、請求項６の構成において、前記トップカバーには、前記ハンドルの起立位置への引き出しを容易とするための指入れ部が形成されていることを特徴とする。
請求項８に記載の発明は、請求項６又は７の構成において、前記バッテリー装着部は、前記ボトムカバー上に設けられて、前記トップカバーには、前記バッテリー装着部を開放させる収容凹部が形成されていることを特徴とする。
請求項９に記載の発明は、請求項８の構成において、前記トップカバーには、前記収容凹部を開閉可能なカバーが設けられていることを特徴とする。
請求項１０に記載の発明は、請求項９の構成において、前記カバーは、前記ハンドルが倒伏位置にある場合にのみ開動作可能であることを特徴とする。
請求項１１に記載の発明は、請求項２の構成において、前記連結部は、前記ハンドルを挟んで一対設けられることを特徴とする。
請求項１２に記載の発明は、請求項１１の構成において、前記連結部は、有底孔と、前記有底孔内に架設されるピンとからなることを特徴とする。
請求項１３に記載の発明は、請求項１２の構成において、前記ピンは、前記重心を通る上下方向の線と直交する線上に配置されていることを特徴とする。
請求項１４に記載の発明は、請求項３乃至１０の何れかの構成において、前記タンクと前記本体との間に、前記分離部を支持する中間プレートが設けられ、前記中間プレートに、前記集塵ホースを収容するためのポケットが設けられて、前記ポケットは前記取手に嵌合して支持されることを特徴とする。
請求項１５に記載の発明は、請求項４乃至１０の何れかの構成において、前記コントローラは、前記本体内で縦向きに支持されていることを特徴とする。
請求項１６に記載の発明は、請求項１乃至１５の何れかの構成において、前記分離部は、筒状のフィルタであることを特徴とする。
請求項１７に記載の発明は、請求項１乃至１６の何れかの構成において、前記バッテリーは、前記バッテリー装着部に側方からスライド装着されることを特徴とする。
【発明の効果】
【０００７】
本発明によれば、バッテリーを装着した状態での全体の重心の真上に当たる位置、及び／又は平面視で重心を中心とした点対称となる位置に、持ち運び用のハンドルが設けられているので、バッテリーを電源とするものであっても、ハンドルを利用してバランスよく携帯でき、作業性に優れたものとなる。
【図面の簡単な説明】
【０００８】
【図１】形態１の箱式集じん機の斜視図である。
【図２】形態１の箱式集じん機の分解斜視図である。
【図３】タンク本体の斜視図である。
【図４】形態１の箱式集じん機の重心を通る縦断面図である。
【図５】形態１の箱式集じん機をトップカバーを省略して示す斜視図である。
【図６】形態１の箱式集じん機をカバーを省略して示す斜視図である。
【図７】形態１の箱式集じん機に肩掛けベルトを連結した状態の斜視図である。
【図８】形態２の箱式集じん機の斜視図である。
【図９】形態２の箱式集じん機の分解斜視図である。
【図１０】タンク本体の斜視図である。
【図１１】形態２の箱式集じん機をトップカバーを省略して示す斜視図である。
【発明を実施するための形態】
【０００９】
以下、本発明の実施の形態を図面に基づいて説明する。
［形態１］
図１は、箱式集じん機の一例を示す斜視図である。この箱式集じん機（以下単に「集塵機」という。）１は、下側に設けたタンク２の上側に本体３を載置してなり、全体が箱型形状となっている。
まず、タンク２は、図２に示すように、上面を開口した深底の半ボックス体で、前後方向が長くなる平面視矩形状に形成される樹脂製のタンク本体２ａを有している。タンク本体２ａの開口の上端には、全周に亘って内側へ折り返し状に突出する張り出し部４が連続形成されて、張り出し部４の上面には、張り出し部４の形状に沿ったリブ５が形成されている。この張り出し部４は、図３に示すように、タンク本体２ａの前部左側のコーナーでは、他の部分よりも内側へ大きく張り出し形成されて、このコーナー部分４ａに、透孔６が形成されている。コーナー部分４ａ上には、下端が透孔６を貫通して上端が前向きに開口する吸込口８となる吸込筒７が設けられている。吸込口８には、集塵ホース１０の基端をバヨネット結合するための係止溝９が設けられている。タンク本体２ａの定置面となる底面には、四隅に脚１１，１１・・が設けられている（図４）。
【００１０】
また、タンク本体２ａの前面には、正面視が四角形状となるホース巻回部１２が設けられている。このホース巻回部１２は、左右の側面及び下面が、集塵ホース１０の外周面に合わせた湾曲面となり、上面には、集塵ホース１０の先端を弾性的に保持するＵ字状の受け具１３が設けられている。
よって、吸込筒７に接続された集塵ホース１０は、ホース巻回部１２の左側面から下面、右側面の順にホース巻回部１２へ巻き付け、先端をホース巻回部１２の上面で受け具１３に保持させることで、図１，２のようにタンク本体２ａの前面に収納可能となる。
さらに、タンク本体２ａの左右の側面で前後方向の中央には、前後よりも内側へ突出する凹み部１４，１４が形成されて、凹み部１４，１４の外面上側に、本体３と係止させるためのラッチ１５，１５がそれぞれ設けられている。
【００１１】
次に、本体３は、図４に示すように、タンク２の張り出し部４に載置されるボトムカバー２０と、ボトムカバー２０に上方から組み付けられるトップカバー２１とを有する。ボトムカバー２０は樹脂製の板状で、下面周縁には、張り出し部４への載置状態でリブ５に当接してタンク２の開口を閉塞するシール部材２２が保持されている。また、ボトムカバー２０上には、図５にも示すように、前方から、コントローラ２３、バッテリー装着部２４、吸気ユニット２５の順に設けられて、ボトムカバー２０の下面には、吸気ユニット２５に連通する分離部としての筒状のフィルタ２６が下向きに取り付けられている。ボトムカバー２０上には、トップカバー２１をネジ止めするための複数のボス２７，２７・・が上向きに形成されている。
【００１２】
コントローラ２３は、マイコンや、吸気ユニット２５に設けられたブラシレスモータ３６を制御するためのスイッチング素子等を搭載した制御回路基板２８を扁平なケース２９に保持させてなる。このケース２９が、ボトムカバー２０上で左右に立設された一対の保持リブ３０，３０に保持されることで、コントローラ２３は、ボトムカバー２０上で、上下及び左右方向で規定される平面に沿って縦向きに支持される。
【００１３】
バッテリー装着部２４は、左右方向に延びる一対のガイドレール３１，３１を前後に備えると共に、ガイドレール３１，３１の間に、端子板を備えた端子台３２を、端子板を上向きにして設置してなる。このバッテリー装着部２４に、電動工具にも使用されるバッテリーとしてのバッテリーパック３３を、右側からガイドレール３１，３１の間へスライドさせると、バッテリーパック３３は、ガイドレール３１，３１間に装着されると共に、端子台３２と電気的に接続される。バッテリーパック３３の取り外しは左側へのスライドにより行える。
吸気ユニット２５は、上側にモータ収容部３４を、下側にファン収容部３５をそれぞれ備え、モータ収容部３４には、ステータ３７とロータ３８とからなるブラシレスモータ３６が、ロータ３８に設けた回転軸３９を下向きとした姿勢で収容されている。ステータ３７の下側で回転軸３９には、モータ冷却用ファン４０が設けられ、モータ収容部３４の上側には、前後に開口する冷却風入口４１，４１が形成され、その下方でモータ冷却用ファン４０の外側には、前後に開口する冷却風出口４２，４２が形成されている。
【００１４】
ファン収容部３５には、ブラシレスモータ３６の回転軸３９に同軸で結合された出力軸４３が突出しており、この出力軸４３に送風ファン４４が一体に固定されている。ファン収容部３５における送風ファン４４の中央真下部位には、フィルタ２６の内側と連通する吸気口４５が形成されている。
また、ファン収容部３５における送風ファン４４の外周部分には、渦巻き状の旋回路４６が形成されて、旋回路４６の終端が、ボトムカバー２０の後端に立設した排気口４７と接続されている。
【００１５】
トップカバー２１は、下端を開口してボトムカバー２０を外側から覆う深底形状を有した樹脂製で、内面には、ボトムカバー２０のボス２７の位置に合わせて図示しないネジボスが下向きに形成されている。よって、トップカバー２１をボトムカバー２０に上方から被せた状態で、ボトムカバー２０のボス２７側から図示しないネジをねじ込むことで、トップカバー２１はボトムカバー２０に組み付けられる。本体３をタンク２に載置した状態で、トップカバー２１は、図４に示すように、下端全周がボトムカバー２０の外側で張り出し部４の上面に当接する。トップカバー２１の左右の側面には、タンク２に設けたラッチ１５，１５が係止するラッチ受け部５０，５０がそれぞれ設けられている。
また、トップカバー２１の前面は、前下がり傾斜して形成されて、操作ダイヤル５２とバッテリーパック３３の残容量の表示部５３とを備えた操作盤５１が設けられている。操作ダイヤル５２は、操作盤５１の裏側に設けられたスイッチ５４に設けられて、回転操作により、停止、運転１（吸込力低）、運転２（吸込力高）が選択可能となっている。
【００１６】
さらに、トップカバー２１における前後方向の中央でボトムカバー２０のバッテリー装着部２４の上側部分には、図６に示すように、バッテリー装着部２４の上側及び右側を開放させる収容凹部５５が形成されて、右側からバッテリー装着部２４にバッテリーパック３３をスライド装着可能となっている。収容凹部５５の前後でトップカバー２１の上面は、同じ高さの平面となる頂部５６，５６が形成されていると共に、頂部５６よりも一段低くなるハンドル収容部５７が、平面視で収容凹部５５の左側と前後とを囲む格好で連続形成されている。ハンドル収容部５７と収容凹部５５との間には、両者を仕切る前後一対の仕切壁５８，５８が、頂部５６を超えない高さで形成されている。
【００１７】
そして、ハンドル収容部５７にはハンドル５９が設けられている。このハンドル５９は、ハンドル収容部５７の左側に収まる前後方向の握り部６０と、握り部６０の前後端にそれぞれ一体形成されてハンドル収容部５７の前後側に収まる一対の脚部６１，６１とからなる。ここでは脚部６１，６１の基端にそれぞれ対向して設けられた軸部６２，６２が、それぞれ仕切壁５８，５８に設けられた図示しない受け孔に嵌合することで、ハンドル５９は、本体３の左右方向の中心で回転可能に連結されている。
【００１８】
よって、ハンドル５９は、図１及び図４に示すようにハンドル収容部５７内に収まって頂部５６より上方に突出しない倒伏位置と、図２及び図６に示すようにハンドル収容部５７から上方へ突出する起立位置とが任意に選択可能となっている。起立位置でのハンドル５９は、握り部６０がバッテリー装着部２４に装着されたバッテリーパック３３の真上で前後に横切る位置となる。このバッテリーパック３３を装着した状態での集塵機１の全体の重心Ｇは、起立位置でのハンドル５９の真下（図２，４，６に一点鎖線で示す握り部６０の前後左右の中心を通る鉛直方向の線Ｌ１上）に位置する。ハンドル収容部５７の左端からトップカバー２１の側面にかけては、ハンドル５９の起立位置への引き出しを容易とするための指入れ部６３が形成されている。
【００１９】
また、収容凹部５５には、カバー６４が設けられている。このカバー６４は、図１，２に示すように、収容凹部５５の上側を覆う上板部６５と、収容凹部５５の右側を覆う側板部６６とを有し、上板部６５の下面で前後に設けた一対の腕部６７，６７が、ハンドル収容部５７の内側の端縁に立設された軸受部６８，６８に前後方向の軸６９によって回転可能に連結されている。よって、カバー６４は、上板部６５が頂部５６，５６と同じ高さで連続状に位置すると共に、側板部６６がトップカバー２１の右側面と連続状に位置して収容凹部５５を閉塞する図１，２及び図４の閉位置から、軸６９を中心に上方へ跳ね上げて図６のように収容凹部５５を開放する開位置まで開閉可能となる。但し、カバー６４の開動作は、ハンドル５９が倒伏位置にある場合にのみ行える。図６では収容凹部５５内を示すためにカバー６４を省略している。
【００２０】
一方、トップカバー２１の前後の頂部５６，５６には、後述する肩掛けベルト８０の連結部７０，７０が設けられている。この連結部７０は、図４にも示すように、ハンドル収容部５７の前後で左右方向に形成される有底孔７１と、有底孔７１内の上側で前後方向に架設されるピン７２とからなり、前後のピン７２，７２は、ハンドル５９の軸部６２，６２と同様に本体３の左右方向の中心に配置されて、ピン７２，７２の軸心を通る一点鎖線で示す前後方向の線Ｌ２は、重心Ｇを通る上下方向の線Ｌ１と直交している。ピン７２，７２は、平面視でＬ１を中心とする前後の点対称に位置している。
【００２１】
また、トップカバー２１における左側前方には、吸込口８を除いて吸込筒７を上方から覆うカバー部７３が形成される一方、トップカバー２１の右側後方には、上向きに開口する差込口７４が形成されて、この差込口７４に直線扁平状の吸込ノズル７５が上方から差込収納可能となっている。
さらに、トップカバー２１の後面には、筒部７８の先端に拡開状の吸込部７９を備えた拡開ノズル７７の収納部７６が凹設されて、拡開ノズル７７を、筒部７８を下にして吸込部７９をトップカバー２１側へ傾けた姿勢で収納可能となっている。
【００２２】
以上の如く構成された集塵機１は、タンク２に本体３を載置してラッチ１５，１５によって結合し、バッテリー装着部２４にバッテリーパック３３を装着した状態で床面等に定置できる。
次に、操作ダイヤル５２を運転１又は運転２に回転操作すると、ブラシレスモータ３６が駆動して回転軸３９が回転し、送風ファン４４を回転させる。すると、吸込口８に吸引力が発生し、吸込口８に接続した集塵ホース１０の先端に接続した吸込ノズル７５又は拡開ノズル７７によって塵埃と共に外気が吸引可能となる。吸い込まれた外気は、吸込筒７からタンク２内に入り、フィルタ２６を通って吸気口４５からファン収容部３５に入り、送風ファン４４の外周から旋回路４６を通って排気口４７から本体３の外部へ排出される。よって、外気がタンク２内を通過する際、比較的大きい塵埃はタンク２内に落下して貯留し、比較的小さい粉塵はフィルタ２６で分離されてそのまま落下或いはフィルタ２６に付着する。なお、集塵ホース１０には吸込ノズル７５や拡開ノズル７７を接続せず、マルノコ等の電動工具に接続して、電動工具から発生する粉塵を直接吸引することもできる。
【００２３】
一方、本体３内では、モータ冷却用ファン４０の回転により、モータ収容部３４の冷却風入口４１から空気が吸い込まれ、ブラシレスモータ３６を冷却した後、冷却風出口４２から排出される。この冷却風入口４１から入る空気と冷却風出口４２から出る空気とによって本体３内で冷却風の対流が生じ、この冷却風がバッテリーパック３３に接触することで、バッテリーパック３３が冷却される。
【００２４】
そして、集塵機１を運搬する場合は、倒伏位置のハンドル５９を起立位置に回転させれば、握り部６０を把持して集塵機１を持ち上げて運搬することができる。このとき集塵機１の重心Ｇはハンドル５９の真下に位置しているので、持ち運ぶ際にバランスが取りやすく、楽に持ち運びできる。
また、図７に示すように、前後の連結部７０，７０のピン７２，７２に肩掛けベルト８０の両端のカラビナ８１等を連結すれば、肩掛けベルト８０を利用して肩から吊り下げて運搬したり、吊り下げ状態のまま集塵機１を運転させたりすることもできる。このときも、肩掛けベルト８０の両端はハンドル５９の前後で重心Ｇとの点対称に位置しているので、安定した状態で吊り下げでき、不用意に傾いたり揺れたりしにくくなる。
【００２５】
このように、上記形態の集塵機１によれば、バッテリー装着部２４にバッテリーパック３３を装着した状態での全体の重心Ｇの真上に当たる位置に、持ち運び用のハンドル５９が設けられ、平面視で重心Ｇを中心とした点対称となる前後位置に、肩掛けベルト８０の両端を連結するための連結部７０，７０が設けられているので、バッテリーパック３３を電源とするものであっても、ハンドル５９又は肩掛けベルト８０を利用してバランスよく携帯でき、作業性に優れたものとなる。
特にここでは、ブラシレスモータ３６の回転軸３９に設けたモータ冷却用ファン４０の冷却風により、バッテリーパック３３を冷却可能としているので、ブラシレスモータ３６の冷却風を利用してバッテリーパック３３を効率よく冷却可能となる。
【００２６】
［形態２］
次に、集塵機の他の形態を説明する。但し、形態１と同じ構成部には同じ符号を付して重複する説明は省略する。
図８，９に示す集塵機１Ａも、バッテリーパック３３を装着した状態での全体の重心Ｇの真上に当たる位置、及び平面視で重心Ｇを中心とした点対称となる前後位置に、持ち運び用のハンドル５９、及び肩掛けベルト８０の両端を連結するための連結部７０，７０が設けられている点は形態１の集塵機１と同じである。ただハンドル５９とカバー６４との左右の向きは集塵機１とは逆となっている。
また、この集塵機１Ａでは、本体３のトップカバー２１において、前側の頂部５６にスイッチボタン８５が設けられている点も集塵機１と異なっている。このスイッチボタン８５は、操作盤５１の上側で後端を図示しないヒンジにより上下方向へ揺動可能に支持されて左右に延びる板状で、図示しないバネによって上面が頂部５６と同一高さとなる上限位置に付勢されている。このスイッチボタン８５の下方への押し操作により、図示しないスイッチをＯＮしてブラシレスモータ３６が駆動可能となっている。
【００２７】
一方、タンク２において、タンク本体２ａの前面には、前方へ突出する取手８６が設けられている。この取手８６は、底面をタンク本体２ａの底面と連続させてタンク本体２ａと一体に形成されており、左右方向の幅はタンク本体２ａの左右の幅と同じとなっている。取手８６の上面には、図１０に示すように、取手８６の前端及び左右端を除いて凹む嵌合凹部８７が形成されている。
また、この集塵機１Ａでは、タンク２と本体３との間に中間プレート８８が設けられて、この中間プレート８８に吸込筒７とフィルタ２６とが設けられている。中間プレート８８の上面で対角線上には、前後に一対の持ち手８９，８９が上向きに設けられ、中間プレート８８の前端には、吸込筒７に接続された集塵ホース１０や吸込ノズル７５を収容するためのポケット９０が結合されている。
【００２８】
このポケット９０は、中間プレート８８の上面と同じ高さで開口して中間プレート８８よりも下方へ突出する左右横長の深底体で、中間プレート８８をタンク２の上面に載置した状態では、図８のようにポケット９０の底部が取手８６の嵌合凹部８７に嵌合して支持される。このときポケット９０の前面が取手８６の前面と連続し、左右の側面がタンク本体２ａ及び取手８６の左右の側面と連続するようになっている。ポケット９０の開口の前端には、開口よりも上方へ突出する突出片９１が設けられている。
さらに、本体３のボトムカバー２０上では、図１１に示すように、コントローラ２３は、前側ではなく、バッテリー装着部２４の右側で、前後及び上下方向で規定される平面に沿って縦向きに支持されている。
【００２９】
以上の如く構成された集塵機１Ａにおいては、タンク２に中間プレート８８を介して本体３を載置してラッチ１５，１５によって結合し、バッテリー装着部２４にバッテリーパック３３を装着した状態で床面等に定置できる。
次に、操作ダイヤル５２を回転操作或いはスイッチボタン８５を押し下げ操作すると、ブラシレスモータ３６が駆動して回転軸３９が回転し、送風ファン４４を回転させる。すると、吸込口８に吸引力が発生し、吸込口８に接続した集塵ホース１０の先端に接続した吸込ノズル７５又は拡開ノズル７７によって塵埃と共に外気が吸引可能となる。吸い込まれた外気は、吸込筒７からタンク２内に入り、フィルタ２６を通って吸気口４５からファン収容部３５に入り、送風ファン４４の外周から旋回路４６を通って排気口４７から本体３の外部へ排出される。よって、外気がタンク２内を通過する際、比較的大きい塵埃はタンク２内に落下して貯留し、比較的小さい粉塵はフィルタ２６で分離されてそのまま落下或いはフィルタ２６に付着する。
【００３０】
一方、本体３内では、モータ冷却用ファン４０の回転により、モータ収容部３４の冷却風入口４１から空気が吸い込まれ、ブラシレスモータ３６を冷却した後、冷却風出口４２から排出される。この冷却風入口４１から入る空気と冷却風出口４２から出る空気とによって本体３内で冷却風の対流が生じ、この冷却風がバッテリーパック３３及びコントローラ２３に接触することで、バッテリーパック３３及びコントローラ２３が冷却される。
【００３１】
そして、集塵機１Ａを運搬する場合は、倒伏位置のハンドル５９を起立位置に回転させれば、握り部６０を把持して集塵機１Ａを持ち上げて運搬することができる。このとき集塵機１Ａの重心Ｇはハンドル５９の真下に位置しているので、持ち運ぶ際にバランスが取りやすく、楽に持ち運びできる。
また、前後の連結部７０，７０のピン７２，７２に肩掛けベルト８０の両端のカラビナ８１等を連結すれば、肩掛けベルト８０を利用して肩から吊り下げて運搬したり、吊り下げ状態のまま集塵機１Ａを運転させたりすることもできる。このときも、肩掛けベルト８０の両端はハンドル５９の前後に位置しているので、安定した状態で吊り下げでき、不用意に傾いたり揺れたりしにくくなる。
ポケット９０も、タンク２の取手８６に支持されるので、ポケット９０が不用意に揺れたりがたついたりすることがない。
【００３２】
このように、上記形態２の集塵機１Ａにおいても、バッテリー装着部２４にバッテリーパック３３を装着した状態での全体の重心Ｇの真上に当たる位置に、持ち運び用のハンドル５９が設けられ、平面視で重心Ｇを中心とした点対称となる前後位置に、肩掛けベルト８０の両端を連結するための連結部７０，７０が設けられているので、バッテリーパック３３を電源とするものであっても、ハンドル５９又は肩掛けベルト８０を利用してバランスよく携帯でき、作業性に優れたものとなる。
特にここでは、タンク２に、外側へ突出して吸込口８に接続される集塵ホース１０を支持可能な取手８６が設けられているので、タンク２に設けた取手８６を集塵ホース１０の収納に利用できる合理的な構成となっている。
また、ブラシレスモータ３６の回転軸３９に設けたモータ冷却用ファン４０の冷却風により、バッテリーパック３３及びコントローラ２３を冷却可能としているので、ブラシレスモータ３６の冷却風を利用してバッテリーパック３３及びコントローラ２３を効率よく冷却可能となる。
【００３３】
さらに、タンク２と本体３との間に中間プレート８８を介在させているので、本体３を持ち上げた際にタンク２の開口が直ちに開放されず、中間プレート８８で閉塞状態は維持できる。よって、本体３を取り外した勢いで塵埃が舞い上がったりすることが抑制される。なお、中間プレート８８は、持ち手８９によって簡単に取り外し可能である上、タンク２からの塵埃の廃棄も、タンク本体２ａに設けた取手８６を利用して容易に行うことができるため、中間プレート８８を設けても塵埃廃棄の作業性に支障を与えることがない。
【００３４】
以下、上記形態１，２に共通した変更例を説明する。
全体形状は平面視矩形状に限らず、平面視正方形状や円形状等の他の形状であっても差し支えない。
ハンドルと肩掛けベルトの連結部とを共に設ける構造とせず、何れか一方のみとして、ハンドルのみ或いは肩掛けベルトのみで携帯可能としてもよい。
ハンドルは、重心の真上でなく、重心を中心とした点対称となる位置（例えば前後）に複数設けてもよい。
肩掛けベルトの連結部の位置も上記形態に限らず、例えば対角線上に設けたりしてもよい。
【００３５】
バッテリーパックの差込方向も左右方向に限らず、前後方向や上下方向から差し込むようにしてもよい。
バッテリー装着部の位置も変更できるし、バッテリー装着部に複数のバッテリーパックを装着可能としてもよい。
収容凹部のカバーも省略できる。
モータもブラシレスに限らず、整流子モータ等も使用できる。
塵埃の分離部も、フィルタの上流側に袋状のプレフィルタを設ける等してもよいし、フィルタに代えてサイクロン構造を採用してもよい。
【符号の説明】
【００３６】
１，１Ａ・・箱式集じん機、２・・タンク、２ａ・・タンク本体、３・・本体、７・・吸込筒、８・・吸込口、１０・・集塵ホース、１１・・脚、１２・・ホース巻回部、１５・・ラッチ、２０・・ボトムカバー、２１・・トップカバー、２３・・コントローラ、２４・・バッテリー装着部、２５・・吸気ユニット、２６・・フィルタ、２８・・制御回路基板、３３・・バッテリーパック、３４・・モータ収容部、３５・・ファン収容部、３６・・ブラシレスモータ、３９・・回転軸、４０・・モータ冷却用ファン、４１・・冷却風入口、４２・・冷却風出口、４４・・送風ファン、５１・・操作盤、５２・・操作ダイヤル、５３・・表示部、５５・・収容凹部、５６・・頂部、５７・・ハンドル収容部、５９・・ハンドル、６０・・握り部、６４・・カバー、７０・・連結部、７２・・ピン、８０・・肩掛けベルト、８５・・スイッチボタン、８６・・取手、８８・・中間プレート、Ｇ・・重心。
【図１】
2019213843.tif 000003
【図２】
2019213843.tif 000004
【図３】
2019213843.tif 000005
【図４】
2019213843.tif 000006
【図５】
2019213843.tif 000007
【図６】
2019213843.tif 000008
【図７】
2019213843.tif 000009
【図８】
2019213843.tif 000010
【図９】
2019213843.tif 000011
【図１０】
2019213843.tif 000012
【図１１】
2019213843.tif 000013